(57)【要約】【課題】従来、複数の子弾を放出可能に搭載した子弾搭載型ロケット弾の訓練弾は、子弾放出機構が不作動となる事態を考慮して射撃訓練を行う必要があると共に、子弾や訓練弾本体の回収に手間がかかるという問題点があった。【解決手段】実弾である子弾搭載型ロケット弾に対して、外観形状、大きさ、重量及び重心位置をほぼ同等とし、模擬弾頭部２と、ダミーウエイト３と、実弾と同一の射角で実弾の子弾の射距離にほぼ相当する距離を飛翔し得る総推力を発生するロケットモータ４を備えた訓練弾Ａ１とし、着弾地点が実弾の正常な着弾地点近傍になるようにしたうえで、実弾と同等の射撃訓練を行うことができると共に、回収にも容易に対処し得るものとした。【選択図】  図１
2006145131.tif 000002
【特許請求の範囲】
【請求項１】
複数の子弾を放出可能に搭載した弾頭部と推進用のロケットモータを備えた子弾搭載型ロケット弾に対して、外観形状、大きさ、重量及び重心位置をほぼ同等とし、実弾の弾頭部に対応する模擬弾頭部と、重量調整用のダミーウエイトと、実弾と同一の射角で実弾の子弾の射距離にほぼ相当する距離を飛翔し得る総推力を発生するロケットモータを備えたことを特徴とする子弾搭載型ロケット弾用の訓練弾。
【請求項２】
模擬弾頭部に、飛翔中又は着弾とともに作動する表示手段を備えたこと特徴とする請求項１に記載の子弾搭載型ロケット弾用の訓練弾。
【請求項３】
模擬弾頭部の外側の少なくとも一部が、衝撃負荷により破壊可能な脆弱部で形成してあると共に、表示手段が、脆弱部の破壊部分から外部に放出される表示用粉末及び表示用液体の少なくとも一方を備えていることを特徴とする請求項２に記載の子弾搭載型ロケット弾用の訓練弾。
【請求項４】
表示手段が、模擬弾頭部の外側に設けた発光体と、発光体に電力を供給する電源を備えていることを特徴とする請求項２に記載の子弾搭載型ロケット弾用の訓練弾。
【発明の詳細な説明】
【技術分野】
【０００１】
本発明は、弾頭部に複数の子弾を放出可能に搭載した子弾搭載型ロケット弾用の訓練弾に関するものである。
【背景技術】
【０００２】
従来において、子弾搭載型ロケット弾用の訓練弾としては、例えば図６に示すようなものがあった。図６（ａ）に示す訓練弾１００は、複数の子弾１０１を搭載した弾頭部１０２と、火工品等で構成される子弾放出機構１０３と、固体推進薬１０４を装填した推進用のロケットモータ１０５を備えている。この訓練弾１００は、実弾の子弾には炸薬が装填してあるのに対して、子弾１０１には発煙剤１０６が装填してあり、それ以外は実弾と同等の構成になっている。
【０００３】
上記の訓練弾１００は、図６（ｂ）に示すように、発射機２００に装填した後、ロケットモータ１０５の作動により発射され、所定時間に到達したところで弾頭部１０２を開放して、子弾放出機構１０３の作動により複数の子弾１０１を放出する。放出された子弾１０１は、個々に備えた減速装置１０７によって減速しながら落下し、着弾とともに信管を作動させて発煙を行う。また、訓練弾１００の本体は、子弾１０１の放出とともに空気抵抗が急激に増加して減速し、子弾１０１の着弾地点の近傍に落下する。
【非特許文献１】『最新防衛技術大成』株式会社Ｒ＆Ｄプランニング、昭和６０年２月１１日、ｐ．１８８，１８９
【発明の開示】
【発明が解決しようとする課題】
【０００４】
ところで、上記したような従来の子弾搭載型ロケット弾用の訓練弾は、子弾放出機構が不作動となった場合、そのまま飛翔し続けることとなり、図６（ｂ）中に点線で示すように飛翔距離が大幅に増大する。このため、子弾放出機構が不作動となる事態を考慮して、充分に広い射場で射撃を行うか、射角を小さくして短距離での射撃に限定せざるを得ないという問題点があり、このほか、子弾や訓練弾本体の回収に手間がかかるという問題点があることから、これらの問題点を解決することが課題であった。
【課題を解決するための手段】
【０００５】
本発明は、上記従来の課題に着目して成されたものであって、着弾地点が実弾の正常な着弾地点近傍になるようにしたうえで、実弾と同等の射撃訓練を行うことができると共に、回収にも容易に対処し得る子弾搭載型ロケット弾用の訓練弾を提供することを目的としている。
【０００６】
本発明の子弾搭載型ロケット弾用の訓練弾は、複数の子弾を放出可能に搭載した弾頭部と推進用のロケットモータを備えた子弾搭載型ロケット弾に対して、外観形状、大きさ、重量及び重心位置をほぼ同等とし、実弾の弾頭部に対応する模擬弾頭部と、重量調整用のダミーウエイトと、実弾と同一の射角で実弾の子弾の射距離にほぼ相当する距離を飛翔し得る総推力を発生するロケットモータを備えた構成とし、上記構成をもって従来の課題を解決するための手段としている。
【０００７】
また、本発明の子弾搭載型ロケット弾用の訓練弾は、より好ましい実施形態として、模擬弾頭部に、飛翔中又は着弾とともに作動する表示手段を備えたこと特徴とし、さらに、模擬弾頭部の外側の少なくとも一部が、衝撃負荷により破壊可能な脆弱部で形成してあると共に、表示手段が、脆弱部の破壊部分から外部に放出される表示用粉末及び表示用液体の少なくとも一方を備えていることを特徴とし、さらに、表示手段が、模擬弾頭部の外側に設けた発光体と、発光体に電力を供給する電源を備えていることを特徴としている。
【発明の効果】
【０００８】
本発明の請求項１に係わる子弾搭載型ロケット弾用の訓練弾によれば、発射機へのインターフェースやハンドリング性を実弾と同等にして、実弾と何ら変わらない射撃訓練を実施し得ると共に、着弾地点を実弾の正常な着弾地点近傍にすることができる。したがって、比較的狭い射場であっても、搭載機器の不具合で飛翔距離が過大になる事態を考慮せずに実弾と同等の射撃訓練を行うことができ、充分に広い射場においては、従来よりも長距離の射撃訓練を行うことが可能になる。
【０００９】
また、本発明の請求項１に係わる子弾搭載型ロケット弾用の訓練弾は、子弾及び子弾放出機構を搭載する必要がなく、当該訓練弾の着弾地点が実質的に実弾の子弾の着弾地点であるから、実弾と同等の射撃結果を得ることができ、このように子弾及び子弾放出機構を廃止することで、構造の大幅な簡略化や低コスト化を実現することができると共に、取扱いや回収の作業が非常に容易になる。
【００１０】
本発明の請求項２に係わる子弾搭載型ロケット弾用の訓練弾によれば、請求項１と同様の効果を得ることができるうえに、飛翔中又は着弾とともに作動する表示手段により、飛翔中から着弾後に至る間又は着弾後の視認性を高めることができ、射撃結果の確認や回収作業をより容易にすることができる。
【００１１】
本発明の請求項３に係わる子弾搭載型ロケット弾用の訓練弾によれば、請求項２と同様の効果を得ることができるうえに、適宜の手段や着弾による衝撃で脆弱部を破壊して表示用の粉末や液体を放出することから、簡単で且つ安価な構成で視認性のさらなる向上を実現することができ、また、発煙剤等の火工品を用いる場合に比べて、取扱いが安全で且つ容易であると共に、着弾地点で枯草等に着火するような恐れを解消することができる。
【００１２】
本発明の請求項４に係わる子弾搭載型ロケット弾用の訓練弾によれば、請求項２と同様の効果を得ることができるうえに、飛翔中又は着弾後に発光体を発光させることから、とくに夜間において、飛翔中から着弾後に至る間又は着弾後の視認性を向上させることができ、また、発煙剤等の火工品を用いる場合に比べて、取扱いが安全で且つ容易であると共に、着弾地点で枯草等に着火するような恐れを解消することができる。
【実施例】
【００１３】
図１は、本発明に係わる子弾搭載型ロケット弾用の訓練弾の一実施例を説明する図である。図１（ａ）（ｂ）に示す訓練弾Ａ１は、複数の子弾を放出可能に搭載した弾頭部と推進用のロケットモータを備えた子弾搭載型ロケット弾（実弾）に対して、外観形状、大きさ、重量及び重心位置をほぼ同等としたものであって、実弾の弾頭部に対応する模擬弾頭部２と、重量調整用のダミーウエイト３と、実弾と同一の射角で実弾の子弾の射距離にほぼ相当する距離を飛翔し得る総推力を発生するロケットモータ４を備えている。
【００１４】
模擬弾頭部２は、従来の子弾及び子弾放出機構を廃止して単一化したものであって、その内部構成がとくに限定されることはないが、ダミーウエイト３とともに実弾と同等の重量及び重心位置が得られるように、金属、樹脂及び木材等の各種材料を適宜選択した成形体を装填することができ、また、中実又は中空であっても良い。
【００１５】
ダミーウエイト３は、実弾の子弾の射距離を飛翔し得る総推力とするために一部削減した固体推進薬５の重量を補足するものであって、その材料がとくに限定されることはないが、重量や重心を同一とするために、上記固体推進薬５と同等の比重を有することが好ましい。この実施例では、ダミーウエイト３に、樹脂に金属粉を混ぜて比重を調整した材料を用いている。
【００１６】
ロケットモータ４は、この実施例では、内孔５ａを有する内面燃焼型の固体推進薬５が装填してあり、尾部には、周知のロケットノズル６や安定翼７を備えている。ここで、図示のロケットモータ４は、先の図６に示す訓練弾１００と同等の構成を有する実弾、すなわち内面燃焼型の固体推進薬１０４を装填した実弾のロケットモータ１０５に対応するものであって、固体推進薬５の機軸方向の長さや内孔５ａの諸寸法を同一にすることで、発射時の推力を実弾と同等のものにしている。
【００１７】
ただし、固体推進薬５は、発射時の推力は実弾と同等であるが、ロケットモータ４の外側にダミーウエイト３を設けたことで実弾よりも直径が小さくなり、実弾よりも総量が少ないものであって、その量は、実弾と同一の射角で発射したときに、実弾の子弾の射距離にほぼ相当する距離を飛翔し得る総推力を発生する量である。
【００１８】
上記構成を備えた訓練弾Ａ１は、複数の子弾及び子弾放出機構を廃止して単一化した模擬弾頭部２を採用したことから、従来に比べて構造が非常に簡略化されたものとなり、製造や取扱いが容易であるとともにコストを大幅に低減することができる。
【００１９】
上記の訓練弾Ａ１は、図１（ｃ）に示すように、発射機２００に装填された後、ロケットモータ４の作動により発射する。このとき、訓練弾Ａ１は、実弾と同等の外観形状、大きさ、重量及び重心位置を有するので、発射機２００へのインターフェースやハンドリング性が実弾と同等であり、また、先述の如く発射時の推力も実弾と同等であるので、実弾と何ら変わらない射撃訓練を実施し得ることとなる。
【００２０】
そして、訓練弾Ａ１は、ロケットモータ４が、実弾と同一の射角で実弾の子弾の射距離にほぼ相当する距離を飛翔し得る総推力を発生するものであるから、図１（ｃ）に訓練弾Ａ１の飛翔経路（実線）及び実弾の飛翔経路（点線）を示すように、実弾の正常な着弾地点近傍に着弾する。つまり、訓練弾Ａ１は、その着弾地点が実質的に実弾の子弾の着弾地点であるから、子弾を用いることなく実弾と同等の射撃結果を得ることができる。
【００２１】
これにより、訓練弾Ａ１は、比較的狭い射場であっても、搭載機器の不具合で飛翔距離が過大になる事態を考慮せずに実弾と同等の射撃訓練を行うことができ、充分に広い射場においては、従来よりも長距離の射撃訓練を行うことを可能にするのであり、しかも、複数の子弾を放出しないので回収作業が非常に容易になる。
【００２２】
図２は、本発明に係わる子弾搭載型ロケット弾用の訓練弾の他の実施例を説明する図である。なお、先の実施例と同一の部位は同一符号を付して詳細な説明を省略する。
【００２３】
図示の訓練弾Ａ２は、先の実施例と同様の模擬弾頭部２を備えると共に、端面燃焼型の固体推進薬１５を装填したロケットモータ１４を備えており、模擬弾頭部２とロケットモータ１４の間にダミーウエイト１３を備えた構成になっている。この訓練弾Ａ２は、とくにロケットモータの固体推進薬が端面燃焼型である実弾に対応するものであって、上記構成とすることにより、発射時の推力を実弾と同等のものにしたうえで、実弾と同一の射角で実弾の子弾の射距離にほぼ相当する距離を飛翔する。
【００２４】
上記の訓練弾Ａ２にあっても、先の実施例と同じ作用及び効果を得ることができる。また、図１に示す実施例や図２に示す本実施例で説明したように、訓練弾におけるロケットモータの固体推進薬は、発射時の推力を実弾と同等にするために、実弾の固体推進薬と同じ燃焼方式にするのが望ましい。
【００２５】
図３は、本発明に係わる子弾搭載型ロケット弾用の訓練弾のさらに他の実施例を説明する図である。なお、先の実施例と同一の部位は同一符号を付して詳細な説明を省略する。
【００２６】
図３（ａ）に示す訓練弾Ａ３は、模擬弾頭部２に、着弾とともに作動する表示手段を備えており、この実施例では、模擬弾頭部２の外側の中間部分が、着弾時の衝撃負荷により破壊可能な円筒状の脆弱部２０で形成してあると共に、表示手段が、脆弱部２０の内側に収容され且つ脆弱部２０の破壊部分から外部に放出される表示用粉末３０を備えている。
【００２７】
脆弱部２０は、例えば模擬弾頭部２の本体部分よりも薄肉に形成した部分であって、訓練弾Ａ３の発射及び飛翔に耐え得る機械的強度を有している。この脆弱部２０は、図示の如く円筒状にする以外に、適宜形状のものを複数箇所に設けることもでき、模擬弾頭部２の外側の少なくとも一部を形成すると共に、着弾時に破壊されて表示用粉末３０を放出し得るものであれば良い。
【００２８】
また、模擬弾頭部２の尾部側には、着弾により作動する信管３１と、スプリング３２により付勢されるピストン３３が収容してあり、ピストン３３で表示用粉末を３０を押し出すようにしてある。なお、表示用粉末３０は、その材料がとくに限定されるものではないが、環境への影響ができるだけ少ないものが望ましく、例えば石灰などを用いることができると共に、適宜着色することも可能である。
【００２９】
上記構成を備えた訓練弾Ａ３は、先の各実施例と同様の作用及び効果を得ることができるうえに、図３（ｂ）に示すように、着弾時の衝撃により脆弱部２０が破壊され、表示用粉末３０を放出してこれを広範囲に散布する。これにより、簡単で且つ安価な構成で着弾後の視認性が著しく向上し、射撃結果の確認や回収作業をより容易にすることができるほか、発煙剤等の火工品を用いる場合に比べて、取扱いが安全で且つ容易であると共に、着弾地点で枯草等に着火するような心配が無いといった利点がある。
【００３０】
図４は、本発明に係わる子弾搭載型ロケット弾用の訓練弾のさらに他の実施例を説明する図である。なお、先の実施例と同一の部位は同一符号を付して詳細な説明を省略する。
【００３１】
図４（ａ）に示す訓練弾Ａ４は、模擬弾頭部２に、飛翔中に作動する表示手段を備えており、この実施例では、模擬弾頭部２の外側の中間部分が、衝撃負荷により破壊可能な円筒状の脆弱部２０で形成してあると共に、表示手段が、脆弱部２０の内側に収容され且つ脆弱部２０の破壊部分から外部に放出される表示用液体３５を備えている。
【００３２】
また、脆弱部２０には、周方向に所定間隔で複数の開放部２０ａが形成してある。この開放部２０ａは、脆弱部２０の頭部側よりもやや後方に位置していると共に、周囲には圧力を受けた際に破断するノッチ（溝）が形成してある。
【００３３】
さらに、模擬弾頭部２の尾部側には、飛翔中に作動する信管３１と、スプリング３２により付勢されるピストン３３が収容してあり、ピストン３３で表示用液体を３５を押し出すようにしてある。なお、表示用液体３５は、その材料がとくに限定されるものではないが、例えば適宜着色したスピンドル油などを用いることができる。
【００３４】
上記構成を備えた訓練弾Ａ４は、先の各実施例と同様の作用及び効果を得ることができるうえに、飛翔中に信管３１が作動してピストン３３で表示用液体３５を加圧することにより、圧力による衝撃負荷で脆弱部２０の開放部２０ａをノッチの部分で破壊して開放状態にし、図４（ｂ）に示すように飛翔しながら表示用液体３５を散布する。このとき、訓練弾Ａ４は、先述の如く開放部２０ａが脆弱部２０の頭部側よりもやや後方に位置しているので、飛翔中に全ての表示用液体３５を散布することはなく、その後の着弾時の衝撃により脆弱部２０がさらに破壊され、残る表示用液体３５を放出してこれを広範囲に散布する。
【００３５】
これにより、簡単で且つ安価な構成で飛翔中から着弾後に至る間の視認性が著しく向上し、射撃結果の確認や回収作業をより容易にすることができるほか、発煙剤等の火工品を用いる場合に比べて、取扱いが安全で且つ容易であると共に、着弾地点で枯草等に着火するような心配が無いといった利点がある。
【００３６】
なお、図３及び図４に示す実施例で説明したように、表示手段は、飛翔中又は着弾後に作動するものであれば良い。また、模擬弾頭部２が脆弱部２０を有する場合には、図４に示す信管３１及びピストン３３等の適宜の手段による衝撃負荷や、着弾による衝撃負荷によって脆弱部２０を破壊するものとし、脆弱部２０の破壊部分から放出するものには、図３に示す実施例の表示用粉末３０や図４に示す実施例の表示用液体３５、あるいは双方の混合物を用いることができる。
【００３７】
さらに、図４に示す構成においては、脆弱部２０に相当する部分を模擬弾頭部２の本体部として充分な強度を有するものとし、開放部２０ａに相当する部分を衝撃負荷により破壊可能な脆弱部として、飛翔中又は着弾後に表示手段を作動させるようにしても良い。
【００３８】
図５は、本発明に係わる子弾搭載型ロケット弾用の訓練弾のさらに他の実施例を説明する図である。なお、先の実施例と同一の部位は同一符号を付して詳細な説明を省略する。
【００３９】
図示の訓練弾Ａ５は、模擬弾頭部２に、飛翔中又は着弾とともに作動する表示手段を備えており、この実施例では、飛翔中又は着弾により作動する信管３１を備えると共に、表示手段が、模擬弾頭部２の外側に設けた発光体４０と、発光体４０に電力を供給する電源４１を備えている。発光体４０は、詳細な構成がとくに限定されるものではないが、着弾時の衝撃に耐える強度を有するほか、少ない電力で充分に発光するものが望ましく、例えばＬＥＤ等の発光素子であって、模擬弾頭部２の周方向及び機軸方向に所定間隔で配列してある。
【００４０】
上記構成を備えた訓練弾Ａ５は、先の各実施例と同様の作用及び効果を得ることができるうえに、飛翔中又は着弾とともに発光体４０を点燈又は点滅させる。これにより、比較的簡単で且つ安価な構成で飛翔中から着弾後に至る間又は着弾後の視認性が向上し、とくに夜間における視認性が著しく向上して、射撃結果の確認や回収作業をより容易にすることができるほか、先の実施例と同様に、発煙剤等の火工品を用いる場合に比べて、取扱いが安全で且つ容易であると共に、着弾地点で枯草等に着火するような心配が無いといった利点がある。
【００４１】
なお、本発明に係わる子弾搭載型ロケット弾用の訓練弾は、詳細な構成が上記した各実施例に限定されるものではなく、実弾の構成等に応じて構成を適宜変更することができ、とくにダミーウエイトにあっては、模擬弾頭部２に搭載したり、数ヶ所に分散して搭載したりすることができる。
【図面の簡単な説明】
【００４２】
【図１】本発明に係わる子弾搭載型ロケット弾用の訓練弾の一実施例を説明する側部断面図（ａ）、機軸に直交する方向でのロケットモータの断面図（ｂ）及び訓練弾と実弾の飛翔経路を示す説明図（ｃ）である。
【図２】本発明に係わる子弾搭載型ロケット弾用の訓練弾の他の実施例を説明する側部断面図（ａ）、及び機軸に直交する方向でのロケットモータの断面図（ｂ）である。
【図３】本発明に係わる子弾搭載型ロケット弾用の訓練弾のさらに他の実施例を説明する側部断面図（ａ）、及び訓練弾と実弾の飛翔経路を示す説明図（ｂ）である。
【図４】本発明に係わる子弾搭載型ロケット弾用の訓練弾のさらに他の実施例を説明する側部断面図である。
【図５】本発明に係わる子弾搭載型ロケット弾用の訓練弾のさらに他の実施例を説明する側部断面図である。
【図６】従来の訓練弾を説明する側部断面図（ａ）、及び訓練弾の飛翔経路を示す説明図（ｂ）である。
【符号の説明】
【００４３】
Ａ１〜Ａ５  訓練弾
２          模擬弾頭部
３  １３    ダミーウエイト
４  １４    ロケットモータ
２０        脆弱部
３０        表示用粉末（表示手段）
３５        表示用液体（表示手段）
４０        発光体（表示手段）
４１        電源（表示手段）
【図１】
2006145131.tif 000003
【図２】
2006145131.tif 000004
【図３】
2006145131.tif 000005
【図４】
2006145131.tif 000006
【図５】
2006145131.tif 000007
【図６】
2006145131.tif 000008